(57)【要約】【課題】目皿部上での排水の衝突を押さえ、毛髪の絡まりを防止することができるヘアーキャッチャーを提供することを目的としている。【解決手段】排水を通過させる多数の孔（２１）を有する目皿部（２）と、目皿部（２）を囲むように設けられた枠部（４）と、この枠部（４）内で目皿部（２）の上面側を２つ以上の区画に仕切る仕切り壁部（３１）を有する仕切り部（３ａ）とを備え、かつ、目皿部（２）が枠部（４）上面より下方に設けられていることを特徴としている。【選択図】      図１
2008274621.tif 000002
【特許請求の範囲】
【請求項１】
排水を通過させる多数の孔を有する目皿部と、目皿部を囲むように設けられた枠部と、この枠部内で目皿部の上面側を２つ以上の区画に仕切る仕切り壁部を有する仕切り部とを備え、かつ、目皿部が枠部上面より下方に設けられていることを特徴とするヘアキャッチャー。
【請求項２】
仕切り部が、枠部より上方に突出する摘み部を有し、この摘み部の排水上手に配置される側の端面の下端部が少なくとも仕切り部中央側から端に向かって下り勾配面に形成されている請求項１に記載のヘアキャッチャー。
【請求項３】
仕切り部が、オーバーフロー孔を備えている請求項１または請求項２に記載のヘアキャッチャー。
【発明の詳細な説明】
【技術分野】
【０００１】
本発明は、浴室の排水口等にセットされるヘアーキャッチャーに関する。
【背景技術】
【０００２】
ヘアーキャッチャーはゴミ、毛髪の排水配管への直接の流出を抑える目的で排水口に設けられていて、排水を通過させる多数の孔を有する目皿部を有し、ここでゴミや毛髪を捕集する構造をもっている（特許文献１、２参照）。
そして、ヘアーキャッチャーの目皿部にゴミや毛髪などが溜まり、目皿部が目詰りを起こすと、ヘアーキャッチャーを排水口から取り外し、ゴミや毛髪を取り除いて目詰りを解消したのち、再び開口部に取り付けられるようになっている。
【０００３】
しかしながら、従来のヘアーキャッチャーの場合、目皿部に溜まった毛髪が互いに絡まっているため、除去しにくいという問題がある。
【０００４】
【特許文献１】特開２００５−１４６５４２号公報
【特許文献２】特開２０００−３４７６０号公報
【発明の開示】
【発明が解決しようとする課題】
【０００５】
上記毛髪の絡まりは、本発明の発明者の研究によると、以下に説明することが原因であると考えられる。
すなわち、図１２に示すように、浴室の洗い場１００に流れ落ちた洗髪水等の排水は、洗い場１００から、毛髪とともに排水口１１０に装着されたヘアーキャッチャー２００の目皿部２１０に流れ込み、毛髪等のゴミ３００を目皿部２１０で除去されたのち排水されるようになっているが、排水は、図１２に鎖線で示すように、多方向から目皿部２１０に流入するため、排水同士が目皿部２１０の上で衝突しながら排水口１１０へ流下する。そして、この排水の衝突による渦流の発生等によって、毛髪が絡ってしまうと考えられる。
【０００６】
そこで、本発明の発明者は、排水の目皿部上での衝突を抑えることができれば、毛髪の絡みつきが抑えられるのではないかと考え、研究を進めた結果、本発明を完成するに到った。
すなわち、本発明は、上記事情に鑑みて、目皿部上での排水の衝突を押さえ、毛髪の絡まりを防止することができるヘアーキャッチャーを提供することを目的としている。
【課題を解決するための手段】
【０００７】
上記目的を達成するために、本発明の請求項１に記載のヘアーキャッチャー（以下、「請求項１のヘアーキャッチャー」と記す）は、排水を通過させる多数の孔を有する目皿部と、目皿部を囲むように設けられた枠部と、この枠部内で目皿部の上面側を２つ以上の区画に仕切る仕切り壁部を有する仕切り部とを備え、かつ、目皿部が枠部上面より下方に設けられていることを特徴としている。
【０００８】
本発明の請求項２に記載のヘアーキャッチャー（以下、「請求項２のヘアーキャッチャー」と記す）は、請求項１のヘアーキャッチャーにおいて、仕切り部が、枠部より上方に突出する摘み部を有し、この摘み部の排水上手に配置される側の端面の下端部が少なくとも仕切り部中央側から端に向かって下り勾配面に形成されていることを特徴としている。
【０００９】
本発明の請求項３に記載のヘアーキャッチャー（以下、「請求項３のヘアーキャッチャー」と記す）は、請求項１または請求項２のヘアーキャッチャーにおいて、仕切り部が、オーバーフロー孔を備えていることを特徴としている。
【発明の効果】
【００１０】
請求項１のヘアーキャッチャーは、排水を通過させる多数の孔を有する目皿部と、目皿部を囲むように設けられた枠部と、この枠部内で目皿部の上面側を２つ以上の区画に仕切る仕切り壁部を有する仕切り部とを備えるので、目皿部に流れ込む排水は、仕切り部の仕切り壁部によって遮られ、仕切り壁部の反対側に流れ込んだ排水と衝突することがない。したがって、渦流が発生しにくく、排水中の毛髪が絡みにくくなる。
したがって、ヘアーキャッチャーの清掃が容易となる。
そして、目皿部が枠部上面より下方に設けられているので、毛髪が枠の外に流出するのを防止することができる。
【００１１】
請求項２のヘアーキャッチャーは、仕切り部が、枠部より上方に突出する摘み部を有し、この摘み部の排水上手に配置される側の端面の下端部が少なくとも仕切り部中央側から端に向かって下り勾配面に形成されているので、摘み部に毛髪が絡みにくくより清掃が容易となる。
【００１２】
請求項３のヘアーキャッチャーは、仕切り部が、オーバーフロー孔を備えているので、目皿部が目詰りを起こして、浴室の洗い場に排水が溜まろうとしても、溜まった水のレベルがオーバーフロー孔の上端面以上の高さになると、オーバーフロー孔を介して排水口から排水され、浴室入り口から浴室外に排水が流れ出ることを防止することができる。
【発明を実施するための最良の形態】
【００１３】
以下に、本発明を、その実施の形態をあらわす図面を参照しつつ詳しく説明する。
図1〜図４は、本発明にかかるヘアーキャッチャーの第１の実施の形態をあらわしている。
【００１４】
図１および図２に示すように、このヘアーキャッチャー１ａは、ポリプロピレン等の合成樹脂で成形されていて、目皿部２と、仕切り部３ａと、枠部４とを備えている。
目皿部２は、多数の排水孔２１を備えた円盤状をしていて、周囲に枠部４が設けられていて、その上端面が枠部４の上端面より下方に位置している。
【００１５】
仕切り部３ａは、仕切り壁部３１と、摘み部３２とを備えている。
仕切り壁部３１は、目皿部２を目皿部２の上面で２分割するように枠部４内に設けられている。
【００１６】
摘み部３２は、枠部４の上端面より上方に突出するようになっているとともに、両端面３２ａが仕切り部中央側から端に向かって下り勾配面に形成されている。
【００１７】
このヘアーキャッチャー１ａは、図３および図４に示すように、３面勾配の洗い場５１を有する洗い場パン５の排水口５２の上方を覆うとともに、洗い場５１の中央の勾配面５１ａの排水勾配に対して仕切り部３ａが平行となるように装着されるようになっている。
【００１８】
そして、このヘアーキャッチャー１ａは、仕切り壁部３１を備えているので、目皿部２に流れ込む排水は、図５に鎖線で示すように、仕切り壁部３１によって分離され、交わることがない。
【００１９】
したがって、図５に示すように、排水と共に目皿部２に流れ込んだ毛髪等のゴミ７は、仕切り壁部３１を挟んで分離された状態で目皿部２上に貯まる。
すなわち、毛髪Ｈが従来のものに比べて絡まりにくくなる。また、仕切り部３ａが枠部４内を完全に仕切る形に設けられているので、図４に示すように、毛髪Ｈが摘み部３２に引っかかるものの、巻きつかないために、除去しやすい。
【００２０】
さらに、摘み部３２の端面３２ａが少なくとも仕切り部中央側から端に向かって下り勾配面に形成されているので、仕切り部３ａを持ってヘアーキャッチャー１ａを取り外し、ひっくり返せば、捕集した毛髪等を捨てる際にも、摘み部３２に引っかかった毛髪Ｈがより除去しやすい。
【００２１】
図６は、本発明にかかるヘアーキャッチャーの第２の実施の形態をあらわしている。
図６に示すように、このヘアーキャチャー１ｂは、仕切り部３ｂの摘み部３３の排水上手に配置される側の端面３３ａの下端部３３ｂが仕切り部中央側から端に向かって下り勾配面に形成され、上端部に排水上手側に突出する突出部３３ｃを備えている以外は、上記ヘアーキャッチャーと同様になっている。
【００２２】
すなわち、このヘアーキャッチャー１ｂは、上記ヘアーキャッチャー１ａと同様の効果を備えているとともに、摘み部３３の排水上手に配置される側の端面３３ａの上端部に排水上手側に突出する突出部３３ｃを備えているので、一旦摘み部３３の端面３３ａに引っかかった毛髪Ｈは、勢いよく排水が摘み部３３にかかっても、突出部３３ｃに引っかかり摘み部３３から外れることがない。
【００２３】
図７は、本発明にかかるヘアーキャッチャーの第３の実施の形態をあらわしている。
図７に示すように、このヘアーキャッチャー１ｃは、仕切り部３ｃの中央にオーバーフロー孔３４を設けるとともに、摘み部の端面が垂直になっている以外は、上記ヘアーキャッチャー１ａと同様になっている。
【００２４】
このヘアーキャッチャー１ｃは、上記ヘアーキャッチャー１ａと同様に、仕切り部３ｃを備えているので、上記ヘアーキャッチャー１ａと同様の効果を備えているとともに、仕切り部３ｃの中央にオーバーフロー孔３４を設けたので、目皿部２にゴミが詰まって、洗い場５１に水が溜まろうとしても、オーバーフロー孔３４の上端面より水位が高くなると、オーバーフロー孔３４から排水口５１を介して排水され、それ以上水位が高くならない。したがって、目皿部２の詰りによって浴室入口から隣室へ排水が流出したりする事故を防止することができる。
【００２５】
図８および図９は、本発明にかかるヘアーキャッチャーの第４の実施の形態をあらわしている。
図８および図９に示すように、このヘアーキャッチャー１ｄは、三角形をした仕切り部３ｄによって目皿部２が2つに仕切られているとともに、三角形の中央部にオーバーフロー孔３５を備えるとともに、摘み部の端面が垂直になっている以外は、上記ヘアーキャッチャー１ａと同様になっている。
【００２６】
図１０は、本発明にかかるヘアーキャッチャーの第５の実施の形態をあらわしている。
図１０に示すように、このヘアーキャッチャー１ｅは、平面視正三角形をした仕切り部３ｅによって目皿部２が３つに仕切られているとともに、摘み部の端面が垂直になっている以外は、上記ヘアーキャッチャー１ａと同様になっている。
【００２７】
図１１は、本発明にかかるヘアーキャッチャーの第６の実施の形態をあらわしている。
図１１に示すように、このヘアーキャッチャー１ｆは、２つの仕切り部３ｆ、３ｆを備え、仕切り部３ｆ、３ｆによって目皿部２が３つに仕切られているとともに、摘み部の端面が垂直になっている以外は、上記ヘアーキャッチャー１ａと同様になっている。
【００２８】
本発明にかかるヘアーキャッチャーは、上記の実施の形態に限定されない。たとえば、上記の実施の形態では、仕切り部がすべて仕切り壁部と摘み部とから構成されていたが、枠部から上方に突出する摘み部はなくしても構わない。
また、上記の実施の形態では、ヘアーキャッチャー全体が樹脂で形成されていたが、たとえば、目皿部はステンレス鋼等の金網で形成されていても構わない。
【図面の簡単な説明】
【００２９】
【図１】本発明にかかるヘアーキャッチャーの第１の実施の形態であって、その斜視図である。
【図２】図１のヘアーキャッチャーの断面図である。
【図３】図１のヘアーキャッチャーを洗い場の排水口に装着した状態の平面図である。
【図４】図３のＸ−Ｘ線断面図である。
【図５】図１のヘアーキャッチャーの目皿部への排水の流れ込み状態およびゴミの捕集状態を模式的に説明する図である。
【図６】本発明にかかるヘアーキャッチャーの第２の実施の形態であって、その断面図である。
【図７】本発明にかかるヘアーキャッチャーの第３の実施の形態であって、その排水口への装着状態の平面図である。
【図８】本発明にかかるヘアーキャッチャーの第４の実施の形態であって、その斜視図である。
【図９】図８のヘアーキャッチャーの排水口への装着状態の平面図である。
【図１０】本発明にかかるヘアーキャッチャーの第５の実施の形態であって、その排水口への装着状態の平面図である。
【図１１】本発明にかかるヘアーキャッチャーの第６の実施の形態であって、その排水口への装着状態の平面図である。
【図１２】従来のヘアーキャッチャーの目皿部への排水の流れ込み状態およびゴミの捕集状態を模式的に説明する図である。
【符号の説明】
【００３０】
１ａ，１ｂ，１ｃ，１ｄ，１ｅ，１ｆ  ヘアーキャッチャー
２  目皿部
２１  孔
３ａ，３ｂ，３ｃ，３ｄ，３ｅ，３ｆ  仕切り部
３１  仕切り壁部
３２，３３  摘み部
３４，３５  オーバーフロー孔
３２ａ，３３ａ  端面
４  枠部
５１  排水口
Ｈ  毛髪
【図１】
2008274621.tif 000003
【図２】
2008274621.tif 000004
【図３】
2008274621.tif 000005
【図４】
2008274621.tif 000006
【図５】
2008274621.tif 000007
【図６】
2008274621.tif 000008
【図７】
2008274621.tif 000009
【図８】
2008274621.tif 000010
【図９】
2008274621.tif 000011
【図１０】
2008274621.tif 000012
【図１１】
2008274621.tif 000013
【図１２】
2008274621.tif 000014